(57)【要約】【課題】  予約録画が指定された記録媒体の記録領域がなくなったとき、その予約録画の続きを他の記録媒体に記録して、予約録画の終了後に、分割記録された予約録画を編集して画質を損なうことなく連続した１本の予約録画にすることができるようにする。【解決手段】  予約録画が設定された第１の記録媒体に予約録画を記録し、第１の記録媒体の記録領域の残量の有無を検出して、第１の記録媒体の記録領域の残量の無が検出されたとき、該予約録画の続きを第２の記録媒体に記録し、予約録画の終了後、第１の記録媒体に記録された予約録画を第２の記録媒体にダビングして、第２の記録媒体に記録された予約録画の続きとダビングされた予約録画とを編集して連続した１本の予約録画にするようにする。【選択図】        図２
2005268839.tif 000002
【特許請求の範囲】
【請求項１】
磁気テープに映像音声信号を記録再生するＶＴＲ部と、ハードディスクに映像音声信号を記録再生するＨＤＤ部と、ＤＶＤ−ＲＷに映像音声信号を記録再生するＤＶＤ部とを有する記録再生装置であって、
予約録画が設定された前記磁気テープに予約録画を記録する予約録画手段と、前記磁気テープのテープ残量の有無を検出する残量検出手段と、前記残量検出手段により前記磁気テープのテープ残量の無が検出されたとき、該予約録画の続きを前記ハードディスク又はＤＶＤ−ＲＷに記録する制御手段と、予約録画の終了後、前記磁気テープに記録された予約録画を前記ハードディスク又はＤＶＤ−ＲＷにダビングするダビング手段と、前記ハードディスク又はＤＶＤ−ＲＷに記録された予約録画の続きと前記ダビング手段によりダビングされた予約録画とを編集して連続した１本の予約録画にして前記ハードディスク又はＤＶＤ−ＲＷに記録する編集手段とを備えたことを特徴とする記録再生装置。
【請求項２】
第１の記録媒体に映像音声信号を記録再生する第１の記録再生部と、第２の記録媒体に映像音声信号を記録再生する第２の記録再生部とを有する記録再生装置であって、
予約録画が設定された前記第１の記録媒体に予約録画を記録する予約録画手段と、前記第１の記録媒体の記録領域の残量の有無を検出する残量検出手段と、前記残量検出手段により前記第１の記録媒体の記録領域の残量の無が検出されたとき、該予約録画の続きを前記第２の記録媒体に記録する制御手段と、予約録画の終了後、前記第１の記録媒体に記録された予約録画を前記第２の記録媒体にダビングするダビング手段と、前記第２の記録媒体に記録された予約録画の続きと前記ダビング手段によりダビングされた予約録画とを編集して連続した１本の予約録画にして前記第２の記録媒体に記録する編集手段とを備えたことを特徴とする記録再生装置。
【請求項３】
前記第１の記憶媒体は、磁気テープであり、前記第２の記憶媒体は、ハードディスクであることを特徴とする請求項２記載の記録再生装置。
【請求項４】
前記第１の記憶媒体は、磁気テープであり、前記第２の記憶媒体は、ＤＶＤ−ＲＷであることを特徴とする請求項２記載の記録再生装置。
【請求項５】
第１の記録媒体に映像音声信号を記録再生する第１の記録再生部と、第２の記録媒体に映像音声信号を記録再生する第２の記録再生部とを有する記録再生装置の記録再生方法であって、
予約録画を前記第１の記録媒体に記録するステップと、前記第１の記録媒体の記憶領域の残量がなくなったか否かを判断するステップと、前記第１の記録媒体の記憶領域の残量がなくなったとき、該予約録画の続きを前記第２の記録媒体に記録するステップと、前記第１の記録媒体に記録された予約録画を前記第２の記録媒体にダビングするステップと、前記第２の記録媒体に記録された予約録画の続きとダビングされた予約録画とを編集して連続した１本の予約録画にして前記第２記録媒体に記録するステップとを備えたことを特徴とする記録再生装置の記録再生方法。
【発明の詳細な説明】
【技術分野】
【０００１】
本発明は、テレビ放送番組を予約録画する記録再生装置に係り、特に磁気テープに予約録画が設定されている場合に、磁気テープのテープ残量がなくなったとき、他の記録媒体にその続きを記録して、予約録画の終了後に、分割記録された予約録画を連続した１本の予約録画に編集する機能を有する記録再生装置に関する。
【背景技術】
【０００２】
従来、ビデオカセットレコーダは、磁気テープにＳＰモード（高画質モード）で予約録画が設定されている場合に、予約録画を開始して、磁気テープのテープ残量が不足することになったとき、自動的にＬＰモード（長時間モード）に切り替えて、磁気テープの走行速度を遅くし、その予約録画の続きを磁気テープに録画するようになっている。そのため、磁気テープに予約録画した映像を再生したとき、予約録画された前部分は高画質の映像で再生され、予約録画された後部分は磁気テープの走行速度を遅して録画されているため、予約録画された後部分は高画質の映像で再生することができないという問題点があった。
背景技術としては、第１の情報記録再生部が入力情報の記録を開始したときに、第１の情報記録再生部が記録処理している情報と同じ情報を第２の記録媒体の予め設定した一定量の領域に繰り返し上書きして、第１の記録媒体の未記録部の残量が所定量以下であるときに、第２の情報記録媒体に対して連続記録を行うようにしたものがあった（例えば、特許文献１参照）。
また、主記憶媒体の交換時に、一時的に補助記憶媒体に映像音声データを蓄積し、主記憶媒体の交換が終了した後、現在記録している映像音声データに追いつくように補助記憶媒体に蓄積している映像音声データを再生し、主記憶手段の記録動作を通常の速度より高速に動作させて、補助記憶媒体に蓄積している映像音声データを交換後の主記憶媒体に記録するようにしたものがあった（例えば、特許文献２参照）。
【特許文献１】特開２００２−３５９７９４号公報
【特許文献２】特開２００３−３７８００号公報
【発明の開示】
【発明が解決しようとする課題】
【０００３】
しかしながら、背景技術で述べたもののうち前者においては、第１の情報記録再生部が入力情報の記録を開始したときに、第１の情報記録再生部が記録処理している情報と同じ情報を第２の記録媒体の予め設定した一定量の領域に繰り返し上書して、第１の記録媒体の未記録部の残量が所定量以下であるときに、第２の情報記録媒体に対して連続記録を行うことができたが、一つの入力情報が別々の記録媒体に記録されるため、記録終了後に別々の記録媒体に記録された入力情報を一つに編集しなければならないという問題点があった。
また、後者においては、主記憶媒体の交換時に、一時的に補助記憶媒体に映像音声データを蓄積し、主記憶媒体の交換が終了した後、現在記録している映像音声データに追いつくように補助記憶媒体に蓄積している映像音声データを再生し、主記憶手段の記録動作を通常の速度より高速に動作させて、補助記憶媒体に蓄積している映像音声データを交換後の主記憶媒体に記録することができたが、主記録媒体をその都度交換しなければならないという問題点があった。
本発明は、背景技術の有するこのような問題点に鑑みてなされたものであり、その目的とするところは、予約録画が指定された記録媒体の記録領域がなくなったとき、その予約録画の続きを他の記録媒体に記録して、予約録画の終了後に、分割記録された予約録画を編集して画質を損なうことなく連続した１本の予約録画にすることができる記録再生装置を提供しようとするものである。
【課題を解決するための手段】
【０００４】
上記目的を達成するため本発明においては、第１の記録媒体に映像音声信号を記録再生する第１の記録再生部と、第２の記録媒体に映像音声信号を記録再生する第２の記録再生部とを有する記録再生装置であって、予約録画が設定された前記第１の記録媒体に予約録画を記録する予約録画手段と、前記第１の記録媒体の記録領域の残量の有無を検出する残量検出手段と、前記残量検出手段により前記第１の記録媒体の記録領域の残量の無が検出されたとき、該予約録画の続きを前記第２の記録媒体に記録する制御手段と、予約録画の終了後、前記第１の記録媒体に記録された予約録画を前記第２の記録媒体にダビングするダビング手段と、前記第２の記録媒体に記録された予約録画の続きと前記ダビング手段によりダビングされた予約録画とを編集して連続した１本の予約録画にする編集手段とを備える。
前記第１の記憶媒体は、磁気テープとし、前記第２の記憶媒体は、ハードディスクとするとよい。
前記第１の記憶媒体は、磁気テープとし、前記第２の記憶媒体は、ＤＶＤ−ＲＷとするとよい。
これらの手段により、予約録画が指定された記録媒体の記録領域がなくなったとき、その予約録画の続きを他の記録媒体に記録して、予約録画の終了後に、分割記録された予約録画を編集して画質を損なうことなく連続した１本の予約録画にすることができる。
【発明の効果】
【０００５】
請求項１記載の発明に係る記録再生装置によれば、予約録画が設定された磁気テープに予約録画を記録し、磁気テープのテープ残量の有無を検出して、磁気テープのテープ残量の無が検出されたとき、該予約録画の続きをハードディスク又はＤＶＤ−ＲＷに記録し、予約録画の終了後、磁気テープに記録された予約録画をハードディスク又はＤＶＤ−ＲＷにダビングして、ハードディスク又はＤＶＤ−ＲＷに記録された予約録画の続きとダビングされた予約録画とを編集して連続した１本の予約録画にしてハードディスク又はＤＶＤ−ＲＷに記録するようにしているので、予約録画が指定された記録媒体の記録領域がなくなったとき、その予約録画の続きを他の記録媒体に記録して、予約録画の終了後に、分割記録された予約録画を編集して画質を損なうことなく連続した１本の予約録画にすることができる。
請求項２記載の発明に係る記録再生装置によれば、予約録画が設定された第１の記録媒体に予約録画を記録し、第１の記録媒体の記録領域の残量の有無を検出して、第１の記録媒体の記録領域の残量の無が検出されたとき、該予約録画の続きを第２の記録媒体に記録し、予約録画の終了後、第１の記録媒体に記録された予約録画を第２の記録媒体にダビングして、第２の記録媒体に記録された予約録画の続きとダビングされた予約録画とを編集して連続した１本の予約録画にするようにしているので、予約録画が指定された記録媒体の記録領域がなくなったとき、その予約録画の続きを他の記録媒体に記録して、予約録画の終了後に、分割記録された予約録画を編集して画質を損なうことなく連続した１本の予約録画にすることができる。
請求項３記載の発明に係る記録再生装置によれば、第１の記憶媒体を磁気テープとして、第２の記憶媒体をハードディスクとしているので、予約録画の終了後、ＶＴＲ部４の磁気テープを別の磁気テープと交換して、ＨＤＤ部５のハードディスクに画質を損なうことなく連続した１本の予約録画として記録されたテレビ放送番組を磁気テープにダビングすることができる。
請求項４記載の発明に係る記録再生装置によれば、第１の記憶媒体を磁気テープとして、第２の記憶媒体をＤＶＤ−ＲＷとしているので、予約録画の終了後、ＶＴＲ部４の磁気テープを別の磁気テープと交換して、ＤＶＤ−ＲＷに画質を損なうことなく連続した１本の予約録画として記録されたテレビ放送番組を磁気テープにダビングすることができる。
請求項５記載の発明に係る記録再生装置によれば、予約録画を第１の記録媒体に記録し、第１の記録媒体の記憶領域の残量がなくなったか否かを判断して、第１の記録媒体の記憶領域の残量がなくなったとき、該予約録画の続きを第２の記録媒体に記録し、第１の記録媒体に記録された予約録画を第２の記録媒体にダビングして、第２の記録媒体に記録された予約録画の続きとダビングされた予約録画とを編集して連続した１本の予約録画にして前記第２記録媒体に記録するようにしているので、予約録画が指定された記録媒体の記録領域がなくなったとき、その予約録画の続きを他の記録媒体に記録して、予約録画の終了後に、分割記録された予約録画を編集して画質を損なうことなく連続した１本の予約録画として記録されたテレビ放送番組を磁気テープにダビングすることができる。
【発明を実施するための最良の形態】
【０００６】
以下、適宜図面を参照しながら本発明を実施するための最良の形態を詳述する。図１は本発明の一実施例の記録再生装置の構成を示すブロック図であり、図２は本発明の一実施例の記録再生装置の第１の実施の形態による予約録画の動作を示す説明図であり、図３は本発明の一実施例の記録再生装置の第１の実施の形態による予約録画の動作を示すフローチャートであり、図４は本発明の一実施例の記録再生装置の第２の実施の形態による予約録画の動作を示す説明図であり、図５は本発明の一実施例の記録再生装置の第２の実施の形態による予約録画の動作を示すフローチャートである。
まず、図１の本発明の一実施例の記録再生装置の構成を示すブロック図を基に説明する。
記録再生装置１は、アンテナ１１により受信されたテレビ放送電波から選択されたチャンネルのテレビ放送を受信するチューナ２と、チューナ２により受信されたテレビ放送の映像音声信号を検波して増幅する検波増幅回路３と、磁気テープに映像音声信号を記録再生するＶＴＲ（Ｖｉｄｅｏ  Ｃａｓｓｅｔｔｅ  Ｔａｐｅ  Ｒｅｃｏｒｄｅｒ）部４と、ハードディスクに映像音声信号を記録再生するＨＤＤ（Ｈａｒｄ  Ｄｉｓｋ  Ｄｒｉｖｅ）部５と、書き換え可能な記録媒体のＤＶＤ−ＲＷ（Ｄｉｇｉｔａｌ  Ｖｅｒｓａｔｉｌｅ  Ｄｉｓｋ−ＲｅＷｒｉｔａｂｌｅ）に映像音声信号を記録再生するＤＶＤ（Ｄｉｇｉｔａｌ  Ｖｅｒｓａｔｉｌｅ  Ｄｉｓｋ）部６と、記録再生装置１のシステム全体を制御するマイコン７と、日付／時刻情報を出力する時計回路８と、映像信号に文字情報信号を重畳して、記録再生装置１０に接続されたモニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路９と、リモコン装置２０から送信された赤外線信号のリモコン信号を受信して、所定の電気信号に変換するリモコン受信部１０とで構成されている。
以上のように構成された記録再生装置の実施例について、以下その動作について説明する。
（第１の実施の形態）テレビ放送番組の予約録画がＶＴＲ部４の磁気テープに設定され、時計回路８からの日付／時刻情報の日付／時刻が予約録画の日付／時刻になると、マイコン７は、チューナ２に制御信号を送出して、設定された予約録画のテレビ放送電波を選択して受信し、ＶＴＲ部４に制御信号を送出して、予約録画の記録開始位置を示すＶＩＳＳ（ＶＨＳ  Ｉｎｄｅｘ  Ｓｅａｒｃｈ  Ｓｙｓｔｅｍ）信号を磁気テープのコントロールトラックに記録して予約録画の磁気テープへの記録を開始する（図２（ａ）参照）。そして、予約録画の磁気テープへの記録が終了すると、マイコン７は、ＶＴＲ部４に制御信号を送出して、ＶＴＲ部４の動作を停止させて予約録画の磁気テープへの記録を終了する。
しかし、磁気テープの残量が予約録画の記録時間より少なく、予約録画の磁気テープへの記録が終了していない場合に、磁気テープがテープ終端になったとき、マイコン７は、ＶＴＲ部４に制御信号を送出して、予約録画の終端を示すＶＩＳＳ信号を磁気テープのコントロールトラックに記録し、ＶＴＲ部４の動作を停止させて、予約録画の磁気テープへの記録を停止し、ＨＤＤ部５に制御信号を送出して、予約録画の続きのハードディスクへの記録を開始する（図２（ｂ）参照）。そして、予約録画の続きのハードディスクへの記録が終了すると、マイコン７は、ＶＴＲ部４に制御信号を送出して、磁気テープを予約録画の記録開始位置まで巻き戻し、ＶＴＲ部４とＨＤＤ部５とに制御信号を送出して、磁気テープに記録された予約録画の記録開始位置から終端までの予約録画をＨＤＤ部５のハードディスクにダビングする（図２（ｃ）参照）。磁気テープに記録された予約録画のハードディスクへのダビングが完了すると、マイコン７は、ＨＤＤ部５に制御信号を送出して、ハードディスクに記録された予約録画の続きの後部分とハードディスクにダビングされた予約録画の前部分とを編集して（図２（ｄ）参照）、ＨＤＤ部５のハードディスクに連続した１本の予約録画にする（図２（ｅ）参照）。このことにより、ＶＴＲ部４にセットされている磁気テープの残量が少なく、設定されたテレビ放送番組の予約録画が磁気テープに記録できない場合であっても、設定されたテレビ放送番組をＨＤＤ部５のハードディスクに画質を損なうことなく連続した１本の予約録画として記録することができるので、磁気テープの残量が不足しても画質を損なうことなく予約録画したテレビ放送番組を視聴することができる。また、ユーザは磁気テープの残量を気にせずに、テレビ放送番組の予約録画の磁気テープへの記録を設定することができ、予約録画の終了後、ＶＴＲ部４の磁気テープを別の磁気テープと交換して、ＨＤＤ部５のハードディスクに連続した１本の予約録画として記録されたテレビ放送番組を磁気テープにダビングすることもできる。
図３の本発明の一実施例の記録再生装置の第１の実施の形態による予約録画の動作を示すフローチャートを基に説明する。
テレビ放送番組の予約録画がＶＴＲ部の磁気テープに設定され、時計回路からの日付／時刻情報の日付／時刻が予約録画の日付／時刻になると、ステップＳ１からステップＳ２に進み、予約録画の記録開始位置を示すＶＩＳＳ信号が磁気テープのコントロールトラックに記録されてＶＴＲ部により予約録画が開始され、ステップＳ３に進む。
ステップＳ３で、予約録画の磁気テープへの記録が終了したか否かが判断され、予約録画の磁気テープへの記録が終了した場合、ステップＳ１０に進んで処理を終了し、予約録画の磁気テープへの記録が終了していない場合、ステップＳ４に進む。
ステップＳ４で、磁気テープがテープ終端になったか否かが判断され、磁気テープがテープ終端になった場合、ステップＳ５に進み、磁気テープがテープ終端になっていない場合、ステップＳ３に戻って、ステップＳ３からのステップを繰り返す。
ステップＳ５で、予約録画の終端を示すＶＩＳＳ信号が磁気テープのコントロールトラックに記録され、予約録画の磁気テープへの記録が停止されて、予約録画の続きのハードディスクへの記録が開始され、ステップＳ６に進む。
ステップＳ６で、予約録画の続きのハードディスクへの記録が終了したか否かが判断され、予約録画の続きのハードディスクへの記録が終了した場合、ステップＳ７に進み、予約録画の続きのハードディスクへの記録が終了していない場合、ステップＳ６に戻って、ステップＳ６のステップを繰り返す。
ステップＳ７で、磁気テープが予約録画の記録開始位置まで巻き戻され、磁気テープに記録された予約録画の記録開始位置から終端までの予約録画がハードディスクにダビングされ、ステップＳ８に進む。
ステップＳ８で、磁気テープに記録された予約録画のハードディスクへのダビングが完了したか否かが判断され、磁気テープに記録された予約録画のハードディスクへのダビングが完了した場合、ステップＳ９に進み、磁気テープに記録された予約録画のハードディスクへのダビングが完了していない場合、ステップＳ８に戻って、ステップＳ８のステップを繰り返す。
ステップＳ９で、ハードディスクに記録された予約録画の続きの後部分とダビングされた予約録画の前部分とが編集されて、ハードディスクに連続した１本の予約録画にされ、ステップＳ１０に進んで処理を終了する。
（第２の実施の形態）テレビ放送番組の予約録画がＶＴＲ部４の磁気テープに設定され、時計回路８からの日付／時刻情報の日付／時刻が予約録画の日付／時刻になると、マイコン７は、チューナ２に制御信号を送出して、設定された予約録画のテレビ放送電波を選択して受信し、ＶＴＲ部４に制御信号を送出して、予約録画の記録開始位置を示すＶＩＳＳ信号を磁気テープのコントロールトラックに記録して予約録画の磁気テープへの記録を開始する（図４（ａ）参照）。そして、予約録画の磁気テープへの記録が終了すると、マイコン７は、ＶＴＲ部４に制御信号を送出して、ＶＴＲ部４の動作を停止させて予約録画の磁気テープへの記録を終了する。
しかし、磁気テープの残量が予約録画の記録時間より少なく、予約録画の磁気テープへの記録が終了していない場合に、磁気テープがテープ終端になったとき、マイコン７は、ＶＴＲ部４に制御信号を送出して、予約録画の終端を示すＶＩＳＳ信号を磁気テープのコントロールトラックに記録し、ＶＴＲ部４の動作を停止させて、予約録画の磁気テープへの記録を停止し、ＤＶＤ部６に制御信号を送出して、予約録画の続きのＤＶＤ−ＲＷへの記録を開始する（図４（ｂ）参照）。そして、予約録画の続きのＤＶＤ−ＲＷへの記録が終了すると、マイコン７は、ＶＴＲ部４に制御信号を送出して、磁気テープを予約録画の記録開始位置まで巻き戻し、ＶＴＲ部４とＤＶＤ部６とに制御信号を送出して、磁気テープに記録された予約録画の記録開始位置から終端までの予約録画をＤＶＤ部６のＤＶＤ−ＲＷにダビングする（図４（ｃ）参照）。磁気テープに記録された予約録画のＤＶＤ−ＲＷへのダビングが完了すると、マイコン７は、ＤＶＤ部６に制御信号を送出して、ＤＶＤ−ＲＷに記録された予約録画の続きの後部分とＤＶＤ−ＲＷにダビングされた予約録画の前部分とを編集して（図４（ｄ）参照）、ＤＶＤ部６のＤＶＤ−ＲＷに連続した１本の予約録画にする（図４（ｅ）参照）。このことにより、ＶＴＲ部４にセットされている磁気テープの残量が少なく、設定されたテレビ放送番組の予約録画が磁気テープに記録できない場合であっても、設定されたテレビ放送番組をＤＶＤ部６のＤＶＤ−ＲＷに画質を損なうことなく連続した１本の予約録画として記録することができるので、磁気テープの残量が不足しても画質を損なうことなく予約録画したテレビ放送番組を視聴することができる。また、ユーザは磁気テープの残量を気にせずに、テレビ放送番組の予約録画の磁気テープへの記録を設定することができ、予約録画の終了後、ＶＴＲ部４の磁気テープを別の磁気テープと交換して、ＤＶＤ部６のＤＶＤ−ＲＷに連続した１本の予約録画として記録されたテレビ放送番組を磁気テープにダビングすることもできる。
図５の本発明の一実施例の記録再生装置の第２の実施の形態による予約録画の動作を示すフローチャートを基に説明する。
テレビ放送番組の予約録画がＶＴＲ部の磁気テープに設定され、時計回路からの日付／時刻情報の日付／時刻が予約録画の日付／時刻になると、ステップＳ１１からステップＳ１２に進み、予約録画の記録開始位置を示すＶＩＳＳ信号が磁気テープのコントロールトラックに記録されてＶＴＲ部により予約録画が開始され、ステップＳ１３に進む。
ステップＳ１３で、予約録画の磁気テープへの記録が終了したか否かが判断され、予約録画の磁気テープへの記録が終了した場合、ステップＳ２０に進んで処理を終了し、予約録画の磁気テープへの記録が終了していない場合、ステップＳ１４に進む。
ステップＳ１４で、磁気テープがテープ終端になったか否かが判断され、磁気テープがテープ終端になった場合、ステップＳ１５に進み、磁気テープがテープ終端になっていない場合、ステップＳ１３に戻って、ステップＳ１３からのステップを繰り返す。
ステップＳ１５で、予約録画の終端を示すＶＩＳＳ信号が磁気テープのコントロールトラックに記録され、予約録画の磁気テープへの記録が停止されて、予約録画の続きのＤＶＤ−ＲＷへの記録が開始され、ステップＳ１６に進む。
ステップＳ１６で、予約録画の続きのＤＶＤ−ＲＷへの記録が終了したか否かが判断され、予約録画の続きのＤＶＤ−ＲＷへの記録が終了した場合、ステップＳ１７に進み、予約録画の続きのＤＶＤ−ＲＷへの記録が終了していない場合、ステップＳ１６に戻って、ステップＳ１６のステップを繰り返す。
ステップＳ１７で、磁気テープが予約録画の記録開始位置まで巻き戻され、磁気テープに記録された予約録画の記録開始位置から終端までの予約録画がＤＶＤ−ＲＷにダビングされ、ステップＳ１８に進む。
ステップＳ１８で、磁気テープに記録された予約録画のＤＶＤ−ＲＷへのダビングが完了したか否かが判断され、磁気テープに記録された予約録画のＤＶＤ−ＲＷへのダビングが完了した場合、ステップＳ１９に進み、磁気テープに記録された予約録画のＤＶＤ−ＲＷへのダビングが完了していない場合、ステップＳ１８に戻って、ステップＳ１８のステップを繰り返す。
ステップＳ１９で、ＤＶＤ−ＲＷに記録された予約録画の続きの後部分とダビングされた予約録画の前部分とが編集されて、ＤＶＤ−ＲＷに連続した１本の予約録画にされ、ステップＳ２０に進んで処理を終了する。
以上、本発明を実施するための最良の形態について詳述したが、本発明はこれに限らず、当業者の通常の知識の範囲内でその変形や改良が可能である。例えば、予約録画が磁気テープに設定され、磁気テープの残量がなくなったとき、予約録画の続きをハードディスク又はＤＶＤ−ＲＷに記録して、予約録画が終了したときに、磁気テープに記録された予約録画をハードディスク或いはＤＶＤ−ＲＷにダビングして編集し、１本の予約録画にすることを説明したが、他の書き換え可能な記録媒体にダビングして編集し、１本の予約録画にしてもよい。
【図面の簡単な説明】
【０００７】
【図１】本発明の一実施例の記録再生装置の構成を示すブロック図である。
【図２】本発明の一実施例の記録再生装置の第１の実施の形態による予約録画の動作を示す説明図である。
【図３】本発明の一実施例の記録再生装置の第１の実施の形態による予約録画の動作を示すフローチャートである。
【図４】本発明の一実施例の記録再生装置の第２の実施の形態による予約録画の動作を示す説明図である。
【図５】本発明の一実施例の記録再生装置の第２の実施の形態による予約録画の動作を示すフローチャートである。
【符号の説明】
【０００８】
１  記録再生装置
２  チューナ
３  検波増幅回路
４  ＶＴＲ部
５  ＨＤＤ部
６  ＤＶＤ部
７  マイコン
８  時計回路
９  ＯＳＤ回路
１０  リモコン受信部
１１  アンテナ
２０  リモコン装置
３０  モニタ装置
【図１】
2005268839.tif 000003
【図２】
2005268839.tif 000004
【図３】
2005268839.tif 000005
【図４】
2005268839.tif 000006
【図５】
2005268839.tif 000007